(57)【要約】【課題】クランクケースヒーターの局所的な温度上昇を抑制し、クランクケースヒーターの絶縁部分の劣化を抑制することが可能な圧縮機を得る。【解決手段】容器１の外周部に巻装されるクランクケースヒーター２と、クランクケースヒーター２に設けられたフック４ａ及びフック５ａと、容器１に設けられ、フック４ａが接続される孔１３ａと、容器１に設けられ、フック５ａが接続される孔１３ｂとを備え、フック４ａとクランクケースヒーター２との間にバネ４ｂを設け、フック５ａとクランクケースヒーター２との間にバネ５ｂを設け、クランクケースヒーター２が容器１の外周部に巻装され、フック４ａ及びフック５ａのそれぞれが孔１３ａ及び孔１３ｂのそれぞれに接続された状態においては、バネ４ｂ及びバネ５ｂは、クランクケースヒーター２が容器１を締め付けるように、クランクケースヒーター２に引張荷重を付与する。【選択図】図３
2010223087.tif 000002
【特許請求の範囲】
【請求項１】
容器の外周部に巻装されるクランクケースヒーターと、
該クランクケースヒーターに設けられた第１のヒーター側接続部及び第２のヒーター側接続部と、
前記容器に設けられ、前記第１のヒーター側接続部が直接的又は間接的に接続される第１の容器側接続部と、
前記容器に設けられ、前記第２のヒーター側接続部が直接的又は間接的に接続される第２の容器側接続部と、
を備え、
前記第１のヒーター側接続部と前記クランクケースヒーターとの間、前記第２のヒーター側接続部と前記クランクケースヒーターとの間、前記第１のヒーター側接続部と前記第１の容器側接続部との間、及び前記第２のヒーター側接続部と前記第２の容器側接続部との間のうち少なくとも一箇所に付勢部材を設け、
前記クランクケースヒーターが前記容器の外周部に巻装され、前記第１のヒーター側接続部及び前記第２のヒーター側接続部のそれぞれが前記第１の容器側接続部及び前記第２の容器側接続部のそれぞれに接続された状態においては、
前記付勢部材は、
前記クランクケースヒーターが前記容器を締め付けるように、前記クランクケースヒーターに引張荷重を付与することを特徴とする圧縮機。
【請求項２】
前記容器の外周部には、前記クランクケースヒーターを案内するガイド部が設けられていることを特徴とする請求項１に記載の圧縮機。
【請求項３】
前記ガイド部は、凹溝形状であることを特徴とする請求項２に記載の圧縮機。
【請求項４】
前記第１の容器側接続部及び前記第２の容器側接続部を有するホルダーを備え、
該ホルダーを前記容器の外周部に取り付けることにより、前記第１の容器側接続部及び前記第２の容器側接続部を前記容器の外周部に設けることを特徴とする請求項１〜請求項３のいずれか一項に記載の圧縮機。
【請求項５】
前記第１の容器側接続部、前記第２の容器側接続部及び前記ガイド部を有するホルダーを備え、
該ホルダーを前記容器の外周部に取り付けることにより、前記第１の容器側接続部、前記第２の容器側接続部及び前記ガイド部を前記容器の外周部に設けることを特徴とする請求項２又は請求項３に記載の圧縮機。
【発明の詳細な説明】
【技術分野】
【０００１】
本発明は圧縮機に関し、特に容器の外周部にクランクケースヒーターが巻装される圧縮機に関する。
【背景技術】
【０００２】
冷凍サイクル装置等に用いられる圧縮機には、冷媒を圧縮する圧縮部とこの圧縮部を駆動する駆動部等が容器内部に設けられている。また、圧縮機の容器内部には、圧縮部の潤滑性確保や圧縮部からの冷媒漏れを防止するため、冷凍機油が貯留されている。
【０００３】
このような容器内部に冷凍機油が貯留される圧縮機では、圧縮機の運転を停止していると、冷媒が冷凍機油に大量に溶け込んでしまう。これを冷媒が寝込むという。冷媒が寝込むと、冷凍機油の粘度が低下し、圧縮機の性能低下や故障を引き起こしてしまう。このような問題点を解消するため、従来の圧縮機には、容器の外周部にクランクケースヒーターが巻装されていた。
【０００４】
図５は、容器の外周部にクランクケースヒーターが巻装された従来の圧縮機を示す外観図である。図５では、クランクケースヒーター１０２を断面で示している。従来の圧縮機１００は、例えば密閉容器である容器１０１の内部に、冷媒を圧縮する圧縮部とこの圧縮部を駆動する駆動部等が設けられている。この容器１０１は、台座１０１ａによって支持されている。そして、クランクケースヒーター１０２は、容器１０１と台座１０１ａとの間に形成された凹部に複数回巻装されている。また、容器１０１からこのクランクケースヒーター１０２がずれ落ちることを防止するため、クランクケースヒーター１０２の両端部は締結されている。
【発明の概要】
【発明が解決しようとする課題】
【０００５】
容器１０１の外周部にクランクケースヒーター１０２が巻装された従来の圧縮機では、巻装箇所や締結箇所において、クランクケースヒーター１０２が重なり合ってしまう。また、例えばクランクケースヒーター１０２を重なり合わないように巻装した場合でも、クランクケースヒーター１０２は、容器１０１からずれ落ちることを防止するため、両端部を締結する必要がある。つまり、締結箇所において、クランクケースヒーター１０２が重なり合ってしまう。
【０００６】
このため、クランクケースヒーター１０２に通電された際、クランクケースヒーター１０２の重なり合った部分が局所的に高温となる。したがって、例えば圧縮機１００の容器１０１に付着した水分がこの高温部分に滴下等すると、クランクケースヒーター１０２の絶縁部分が劣化し、クランクケースヒーター１０２が漏電してしまうという問題点があった。
【０００７】
本発明は、上記の課題を解決するためになされたものであり、クランクケースヒーターの局所的な温度上昇を抑制し、クランクケースヒーターの絶縁部分の劣化を抑制することが可能な圧縮機を得ることを目的とする。
【課題を解決するための手段】
【０００８】
本発明に係る圧縮機は、容器の外周部に巻装されるクランクケースヒーターと、該クランクケースヒーターに設けられた第１のヒーター側接続部及び第２のヒーター側接続部と、前記容器に設けられ、前記第１のヒーター側接続部が直接的又は間接的に接続される第１の容器側接続部と、前記容器に設けられ、前記第２のヒーター側接続部が直接的又は間接的に接続される第２の容器側接続部と、を備え、前記第１のヒーター側接続部と前記クランクケースヒーターとの間、前記第２のヒーター側接続部と前記クランクケースヒーターとの間、前記第１のヒーター側接続部と前記第１の容器側接続部との間、及び前記第２のヒーター側接続部と前記第２の容器側接続部との間のうち少なくとも一箇所に付勢部材を設け、前記クランクケースヒーターが前記容器の外周部に巻装され、前記第１のヒーター側接続部及び前記第２のヒーター側接続部のそれぞれが前記第１の容器側接続部及び前記第２の容器側接続部のそれぞれに接続された状態においては、前記付勢部材は、前記クランクケースヒーターが前記容器を締め付けるように、前記クランクケースヒーターに引張荷重を付与するものである。
【発明の効果】
【０００９】
本発明においては、容器の外周部にクランクケースヒーターを巻装し、第１のヒーター側接続部及び第２のヒーター側接続部のそれぞれを第１の容器側接続部及び第２の容器側接続部に接続する。このとき、付勢部材は、クランクケースヒーターが容器を締め付けるように、クランクケースヒーターに引張荷重を付与する。このため、クランクケースヒーターの両端部を締結しなくとも、クランクケースヒーターが容器の外周部からずれ落ちることを防止できる。したがって、容器の外周部にクランクケースヒーターを重なり合わないように巻装することで、重なり合う部分なくクランクケースヒーターを容器の外周部に取り付けることができる。これにより、クランクケースヒーターの局所的な温度上昇を抑制し、クランクケースヒーターの絶縁部分の劣化を抑制することが可能な圧縮機を得ることができる。
【図面の簡単な説明】
【００１０】
【図１】本発明の実施の形態１に係る圧縮機の外観斜視図である。
【図２】本発明の実施の形態１に係るクランクケースヒーターの断面図である。
【図３】本発明の実施の形態１に係るホルダーの外観斜視図である。
【図４】実施の形態２に係るホルダー１０の縦断面図である。
【図５】容器の外周部にクランクケースヒーターが巻装された従来の圧縮機を示す外観図である。
【発明を実施するための形態】
【００１１】
実施の形態１．
図１は本発明の実施の形態１に係る圧縮機の外観斜視図である。図２は、圧縮機の容器外周部に巻かれるクランクケースヒーターの断面図である。また、図３は、圧縮機の容器外周部に取り付けられたホルダーの外観斜視図である。なお、図１は圧縮機２０の一部を示している。以下、これら図１〜図３に基づいて、本実施の形態１に係る圧縮機２０について説明する。
【００１２】
圧縮機２０は、例えば密閉型のスクロール式圧縮機である。この圧縮機２０の容器１は、例えば密閉容器であり、略円筒形状をしている。この容器１の内部には、冷媒を圧縮するスクロール式の圧縮部（図示せず）とこの圧縮部を駆動する駆動部等（図示せず）が設けられている。また、この容器１の内部には、圧縮部の潤滑性確保や圧縮部からの冷媒漏れを防止するため、冷凍機油が貯留されている。
【００１３】
容器１の外周部側面には、クランクケースヒーター２が複数回巻装されている。このクランクケースヒーター２は、断面略円形状の導体部２ａの外周が絶縁部２ｂで覆われた、断面略円形状のヒーターである。導体部２ａの両端部には、導体部２ａに電力供給するための電力供給配線３が接続されている。また、クランクケースヒーター２の一方の端部には、バネ４ｂを介してフック４ａが設けられている。クランクケースヒーター２の他方の端部には、バネ５ｂを介してフック５ａが設けられている。これらフック４ａ及びフック５ａは、容器１の外周部側面に設けられたホルダー１０に接続されている（ホルダー１０の詳細は後述する）。ここで、フック４ａが第１のヒーター側接続部に相当し、フック５ａが第２のヒーター側接続部に相当する。また、バネ４ｂ及びバネ５ｂが付勢手段に相当する。なお、フック４ａ及びフック５ａは、クランクケースヒーター２の端部以外の場所に設けられていてもよい。
【００１４】
ホルダー１０は、略直方体のベース部１１の両側面部に側壁１２が立設された、断面略コの字形状をしている。そして、側壁１２のそれぞれには、フック４ａ及びフック５ａのそれぞれが掛合（接続）される、孔１３ａ及び孔１３ｂが形成されている。ここで、孔１３ａが第１の容器側接続部に相当し、孔１３ｂが第２の容器側接続部に相当する。
ホルダー１０は、例えば溶接性の良いＳＰＣＣ鋼板（冷間圧延鋼板）等を折り曲げ加工することにより形成されている。本実施の形態１では、例えば１ｍｍのＳＰＣＣ鋼板でホルダー１０を形成している。このホルダー１０は、例えば溶接等によって容器１の外周部側面に取り付けられている。
【００１５】
なお、本実施の形態１で示しているホルダー１０はあくまでも一例である。例えば、フック４ａ及びフック５ａのそれぞれが掛合されるピンをベース部１１に立設してもよい。この場合、ピンが、第１の容器側接続部及び第２の容器側接続部に相当する。
【００１６】
また、孔１３ａ及び孔１３ｂが形成された側壁１２や上述のピンを、容器１の外周部に直接設けてもよい。つまり、第１の容器側接続部及び第２の容器側接続部を容器１の外周部に直接設けても、本発明を実施することが可能である。本実施の形態１では、少ない溶接回数で第１の容器側接続部及び第２の容器側接続部を取り付けることが可能となるので、第１の容器側接続部及び第２の容器側接続部となる孔１３ａ及び孔１３ｂをホルダー１０に形成している。
【００１７】
（クランクケースヒーターの取付方法）
次にクランクケースヒーター２の取り付け方法について説明する。
まず、フック４ａ又はフック５ａを孔１３ａ又は孔１３ｂに掛合する。以下では、フック４ａを孔１３ａに掛合した場合について説明していく。
【００１８】
フック４ａを孔１３ａに掛合した後、クランクケースヒーター２を容器１の外周部側面に巻き付けていく。この際、クランクケースヒーター２が互いに重なり合わないように巻き付けていく。クランクケースヒーター２を容器１の外周部側面に巻き終わったら、フック５ａを孔１３ｂに掛合する。このとき、クランクケースヒーター２の一方の端部は、バネ４ｂによって引張荷重が付与され、孔１３ａの方に引っ張られる。また、クランクケースヒーター２の他方の端部は、バネ５ｂによって引張荷重が付与され、孔１３ｂの方に引っ張られる。つまり、バネ４ｂ及びバネ５ｂによって、クランクケースヒーター２には、クランクケースヒーター２が容器１を締め付ける方向に引張荷重が付与される。このため、クランクケースヒーター２の両端部を締結しなくとも、クランクケースヒーター２が容器１の外周部側面からずれ落ちることを防止できる。
【００１９】
このように構成された圧縮機２０においては、フック４ａ及びフック５ａを孔１３ａ及び孔１３ｂに掛合するすることにより、クランクケースヒーター２の両端部がバネ４ｂ及びバネ５ｂによりホルダー１０側に引っ張られる。このため、クランクケースヒーター２の両端部を締結しなくとも、クランクケースヒーター２が容器１の外周部側面からずれ落ちることを防止できる。これにより、容器１の外周部側面にクランクケースヒーター２を重なり合わないように巻装することで、重なり合う部分なくクランクケースヒーター２を容器１の外周部外側に取り付けることができる。したがって、クランクケースヒーター２の局所的な温度上昇を抑制し、クランクケースヒーター２の絶縁部２ｂの劣化を抑制することができる。つまり、クランクケースヒーター２の漏電を防止することができる。
【００２０】
また、第１の掛止部及び第２の掛止部となる孔１３ａ及び孔１３ｂをホルダー１０に形成しているので、少ない溶接回数で第１の掛止部及び第２の掛止部を容器１に設けることができる。したがって、圧縮機２０（より詳しくは容器１）のコストを低減することができる。
【００２１】
なお、本実施の形態１ではバネ４ｂ及びバネ５ｂをクランクケースヒーター２の先端部に設けたが、バネ４ｂ及びバネ５ｂはどちらか一方があればよい。また、付勢手段となるバネの位置は、バネ４ｂ及びバネ５ｂの位置に限定されない。例えば、フック４ａと孔１３ａとの間にバネを設けてもよい。また、例えば、フック５ａと孔１３ｂとの間にバネを設けてもよい。これにより、クランクケースヒーター２の両端部を締結しなくとも、クランクケースヒーター２が容器１の外周部側面からずれ落ちることを防止できる。
【００２２】
また、付勢手段は、バネに限らず種々のものを使用できる。例えば、付勢手段として、ゴム等の弾性部材を使用してもよい。
また、付勢手段として、紐や針金等を用いてもよい。紐や針金等を用いる場合には、これら紐や針金等を例えば孔１３ａ及び孔１３ｂに締結（接続）してもよい。この場合、紐や針金等は第１のヒーター側接続部及び第２のヒーター側接続部としても機能する。
【００２３】
また、本実施の形態１では断面略円形状のクランクケースヒーター２を用いたが、これに限らず種々の形状のヒーターをクランクケースヒーター２として用いることが可能である。例えば、帯状のヒーターをクランクケースヒーター２として用いてもよい。
【００２４】
実施の形態２．
実施の形態１に示した圧縮機２０に、クランクケースヒーター２を案内するガイド部を設けてもよい。なお、本実施の形態２において、特に記述しない項目については実施の形態１と同様とし、同一の機能や構成については同一の符号を用いて述べることとする。
【００２５】
図４は、本発明の実施の形態２に係るホルダー１０の縦断面図である。容器１の外周部側面に設けられたホルダー１０のベース部１１には、ベース部１１を折り曲げ加工することにより、凹溝形状のガイド部１５が複数形成されている。
【００２６】
このように構成された圧縮機２０においては、クランクケースヒーター２を容器１の外周部側面に巻き付ける際、ガイド部１５にクランクケースヒーター２を案内させることにより、互いに重なり合うことなくクランクケースヒーター２を容器１の外周部側面に巻き付けることができる。したがって、クランクケースヒーター２の容器１への巻装が容易となる。
【００２７】
なお、ガイド部１５の形状は上述の形状に限られるものではない。例えば、ベース部１１に薄板を溶接等により立設し、薄板と薄板の間（又は薄板と側壁１２の間）をガイド部１５としてもよい。また、例えば、ベース部１１にピン等を設け、ピンとピンの間（又はピンと側壁１２の間）をガイド部１５としてもよい。
【００２８】
また、本実施の形態２ではホルダー１０のガイド部１５にガイド部１５を形成したが、容器１の外周部にガイド部１５を形成してもよい。本実施の形態では、容器１の加工が容易となるので、ガイド部１５をホルダー１０に形成している。これにより、圧縮機２０（より詳しくは容器１）のコストを低減することができる。
【符号の説明】
【００２９】
１  容器、２  クランクケースヒーター、２ａ  導体部、２ｂ  絶縁部、３  電力供給配線、４ａ  フック、４ｂ  バネ、５ａ  フック、５ｂ  バネ、１０  ホルダー、１１  ベース部、１２  側壁、１３ａ  孔、１３ｂ  孔、１５  ガイド部、２０  圧縮機、１００  圧縮機、１０１  容器、１０１ａ  台座、１０２  クランクケースヒーター。
【図１】
2010223087.tif 000003
【図２】
2010223087.tif 000004
【図３】
2010223087.tif 000005
【図４】
2010223087.tif 000006
【図５】
2010223087.tif 000007